(57)【特許請求の範囲】
【請求項１】
ディスプレイパネルと光学フィルムとを備え、前記ディスプレイパネルが表示面と側面と前記表示面に対向して設けられる裏面とを備え、前記表示面が画像を表示するためのものであり、前記表示面が非表示領域と表示領域とを備え、前記非表示領域が前記表示領域を取り囲み、前記側面が前記表示面の周縁を囲み、前記裏面が前記非表示領域に対応するエッジ領域を備え、前記光学フィルムが遮光部と透光部とを備え、前記透光部が前記表示領域に積層され、前記表示領域を対応して覆い、前記遮光部がベース層を備え、前記ベース層が前記透光部と一体に設置され、前記ベース層における前記ディスプレイパネルから離れた表面には、インク層がスクリーン印刷され、前記遮光部が前記エッジ領域、前記側面及び前記非表示領域に積層され、前記エッジ領域、前記側面及び前記非表示領域を対応して覆い、前記ディスプレイパネルの周縁全体を被覆することを特徴とするディスプレイスクリーン。
【請求項２】
前記光学フィルムが耐高温ポリエステル材料からなることを特徴とする請求項１に記載のディスプレイスクリーン。
【請求項３】
前記ディスプレイスクリーンがタッチスクリーンであることを特徴とする請求項１に記載のディスプレイスクリーン。
【請求項４】
前記ディスプレイパネルが、順次積層された保護層、タッチ層、液晶層及びバックライト層を備え、前記表示面が前記保護層に設けられることを特徴とする請求項３に記載のディスプレイスクリーン。
【請求項５】
前記ディスプレイパネルが偏光層をさらに備え、前記偏光層、前記タッチ層及び前記液晶層は、順次積層されると共に、一体にされることを特徴とする請求項４に記載のディスプレイスクリーン。
【請求項６】
前記ディスプレイパネルが偏光層をさらに備え、前記偏光層、前記液晶層及び前記タッチ層は、順次積層されると共に、一体にされることを特徴とする請求項４に記載のディスプレイスクリーン。
【請求項７】
請求項１〜６のいずれかに記載のディスプレイスクリーンを備え、サイドフレームと透光保護板とをさらに備え、前記サイドフレームが前記透光保護板の周縁を囲み、前記透光保護板が前記ディスプレイスクリーンに積層され、少なくとも前記表示領域を覆うことを特徴とするディスプレイスクリーンアセンブリー。
【請求項８】
前記透光保護板が透光領域及び遮光領域を備え、前記透光領域が前記表示領域を覆い、前記遮光領域が前記透光領域を取り囲み、前記非表示領域を覆うことを特徴とする請求項７に記載のディスプレイスクリーンアセンブリー
【請求項９】
前記ディスプレイスクリーンと前記透光保護板の間に光学接着層が接続され、前記光学接続層が前記表示面を覆うことを特徴とする請求項７に記載のディスプレイスクリーンアセンブリー
【請求項１０】
請求項７〜９のいずれかに記載のディスプレイスクリーンアセンブリーを備え、裏蓋と制御アセンブリーとをさらに備え、前記裏蓋に収納室が設けられ、前記収納室の開口端が前記裏蓋の外観面に設けられ、前記ディスプレイスクリーンアセンブリーが開口端を封じ、前記ディスプレイスクリーン及び前記制御アセンブリーが前記収納室内に収納され、前記制御アセンブリーが前記ディスプレイスクリーンを制御するように前記ディスプレイスクリーンに電気的に接続されることを特徴とする端末。
【発明の詳細な説明】
【技術分野】
【０００１】
本発明は、ディスプレイスクリーン分野に関し、特に、ディスプレイスクリーン、ディスプレイスクリーンアセンブリー及び端末に関する。
【背景技術】
【０００２】
従来、多い端末装置のディスプレイスクリーンには、光漏れや液体侵入などの欠点がある。しかしながら、従来、多くのディスプレイスクリーンは、ディスプレイスクリーンのエッジやサイドフレームのエッジに耐高温ポリエステルフィルムを貼り付け、この耐高温ポリエステルフィルムによって遮光や防水効果を奏する構造であるが、端末装置に狭いボーダーがますます広く要求されるにつれて、端末装置の表示領域の黒いボーダーがますます狭くなるため、耐高温ポリエステルフィルムの幅が低減される。また、耐高温ポリエステルフィルムは、ディスプレイスクリーンに貼り付けられるとき、ディスプレイスクリーンのエッジに露出する必要があり、且つ、ディスプレイスクリーンのエッジに生じる気泡や隙間等の欠陥を防止するための充分な幅を有する必要がある。ディスプレイスクリーンアセンブリーのボーダーがますます狭くなるにつれて、耐高温ポリエステルフィルムは、幅が低減されるため、光漏れ防止及び防水効果を奏しない。
【発明の概要】
【０００３】
上記に鑑み、本発明は、ディスプレイスクリーンの光漏れや液体侵入などの欠点を解決し、ディスプレイスクリーンの使用性能を向上させるディスプレイスクリーンアセンブリー及び端末を提供する。
【０００４】
第一態様によれば、ディスプレイスクリーンが提供される。前記ディスプレイスクリーンは、ディスプレイパネルと光学フィルムとを備え、前記ディスプレイパネルが表示面と側面とを備え、前記表示面が画像を表示するためのものであり、前記表示面が非表示領域と表示領域とを備え、前記非表示領域が前記表示領域を取り囲み、前記側面が前記表示面の周縁を囲み、前記光学フィルムが遮光部と透光部とを備え、前記遮光部が前記側面及び前記非表示領域に積層され、前記側面及び前記非表示領域を対応して覆い、前記透光部が前記表示領域に積層され、前記表示領域を対応して覆う。
【０００５】
第一態様によれば、第一態様の第一実施形態において、前記ディスプレイパネルが前記表示面に対向して設けられる裏面を備え、前記裏面が前記非表示領域に対応するエッジ領域を備え、前記遮光部が前記エッジ領域にさらに積層され、前記エッジ領域を対応して覆う。
【０００６】
第一態様または第一態様の第一実施形態によれば、第一態様の第二実施形態において、前記遮光部がベース層と前記ベース層に設けられるインク層とを備える。
【０００７】
第一態様によれば、第一態様の第三実施形態において、前記光学フィルムが耐高温ポリエステル材料からなる。
【０００８】
第一態様によれば、第一態様の第四実施形態において、前記ディスプレイスクリーンがタッチスクリーンである。
【０００９】
第一態様の第四実施形態によれば、第一態様の第五実施形態において、前記ディスプレイパネルが、順次積層された保護層、タッチ層、液晶層及びバックライト層を備え、前記表示面が前記保護層に設けられる。
【００１０】
第二態様によれば、ディスプレイスクリーンアセンブリーが提供される。前記ディスプレイスクリーンアセンブリーは、上記のいずれかに記載のディスプレイスクリーンを備え、サイドフレームと透光保護板とをさらに備え、前記サイドフレームが前記透光保護板の周縁を囲み、前記透光保護板が前記ディスプレイスクリーンに積層され、少なくとも前記表示領域を覆う。
【００１１】
第二態様によれば、第二態様の第一実施形態において、前記透光保護板が透光領域及び遮光領域を備え、前記透光領域が前記表示領域を覆い、前記遮光領域が前記透光領域を取り囲み、前記非表示領域を覆う。
【００１２】
第二態様によれば、第二態様の第二実施形態において、前記ディスプレイスクリーンと前記透光保護板の間に光学接着層が接続され、前記光学接続層が前記表示面を覆う。
【００１３】
第三態様によれば、端末が提供される。前記端末は、上記のいずれかに記載のディスプレイスクリーンアセンブリーを備え、裏蓋と制御アセンブリーとをさらに備え、前記裏蓋に収納室が設けられ、前記収納室の開口端が前記裏蓋の外観面に設けられ、前記ディスプレイスクリーンアセンブリーが開口端を封じ、前記ディスプレイスクリーン及び前記制御アセンブリーが前記収納室内に収納され、前記制御アセンブリーが前記ディスプレイスクリーンを制御するように前記ディスプレイスクリーンに電気的に接続される。
【００１４】
本発明のディスプレイスクリーン、ディスプレイスクリーンアセンブリー及び端末によれば、前記光学フィルムの遮光部が前記ディスプレイパネルの非表示領域を被覆し、前記ディスプレイスクリーンの側面を被覆することにより、ディスプレイスクリーンのエッジからの光が光学フィルムで遮光され、光漏れ防止効果及び防水効果が奏される。
【図面の簡単な説明】
【００１５】
本発明に係る技術手段を一層明瞭に説明するために、以下、実施形態に必要な添付図面を簡単に紹介する。以下に説明される添付図面は、本発明の一部の実施形態に関するものだけであることが明らかであり、当業者にとって、創造的な労働なしに、これらの図面から他の図面を得ることができる。
【図１】本発明の第一実施形態に係るディスプレイスクリーンの概略図である。
【図２】第二実施形態に係るディスプレイスクリーンの概略図である。
【図３】第三実施形態に係るディスプレイスクリーンの概略図である。
【図４】本発明に係るディスプレイスクリーンアセンブリーの概略図である。
【発明を実施するための形態】
【００１６】
以下、本発明の実施形態に関する添付図面を参照しながら、本発明の実施形態に係る技術手段を明瞭に、詳細に説明する。
【００１７】
図１を参照しながら、本発明はディスプレイスクリーン１００を提供する。前記ディスプレイスクリーン１００は、ディスプレイパネル１０と光学フィルム２０とを備える。前記ディスプレイパネル１０は、表示面１１と側面１２とを備える。前記表示面１１は、画像を表示するためのものである。前記表示面１１は、表示領域１１１と非表示領域１１２とを備える。図１に示すように、灰色の領域が表示領域１１１であり、黒色の領域が非表示領域１１２である。前記非表示領域１１２は、前記表示領域１１１を取り囲む。前記側面１２は、前記表示面１１の周縁を囲む。前記光学フィルム２０は、透光部２１と遮光部２２とを備える。前記透光部２１は前記表示領域１１１に積層され、前記表示領域１１１を対応して覆う。前記遮光部２２は、前記透光部２１に固定されて接続される。前記遮光部２２は、前記側面１２及び前記非表示領域１１２に積層され、前記側面１２及び前記非表示領域１１２を対応して覆う。
【００１８】
前記光学フィルム２０の遮光部２２が前記ディスプレイパネル１０の非表示領域１１２及び前記ディスプレイパネル１０の側面１２を被覆することにより、ディスプレイパネル１０のエッジからの光が光学フィルム２０で遮光され、光漏れ防止効果及び防水効果が奏される。
【００１９】
本実施形態において、表示領域１１１は、ディスプレイパネル１０における画像情報を効果的に表示できる領域であるが、非表示領域１１２は、ディスプレイパネル１０における画像情報を表示できない領域である。一般的に、非表示領域１１２が、回路に接続され、または、バックライトが設けられるためのものである。ディスプレイパネル１０の電源が切られるとき、表示領域１１１は黒色を呈する。ディスプレイパネル１０は、ＬＣＤ（Ｌｉｑｕｉｄ  Ｃｒｙｓｔａｌ  Ｄｉｓｐｌａｙ）スクリーンであってもよく、ＬＣＭ（ＬＣＤ  Ｍｏｄｕｌｅ）アセンブリーであってもよい。ディスプレイパネル１０は、特に、広く使用されるタッチパネルであってもよく、例えば、ディスプレイパネル１０が、タッチ層が液晶画素に内蔵されるｉｎ−ｃｅｌｌタッチパネルであってもよく、タッチ層が液晶画素に設けられるｏｎ−ｃｅｌｌタッチパネルであってもよく、タッチ層全体がカバープレートに貼り付けられる全面貼り合わせタッチパネルであってもよい。
【００２０】
本実施形態において、前記光学フィルム２０は、成膜プロセスによって、前記ディスプレイパネル１０に成膜され、または、前記光学フィルム２０は、貼り付けられることにより前記ディスプレイパネル１０に固定される。前記光学フィルム２０が前記表示面１１及び前記側面１２に隙間がないように貼り付けられることにより、前記ディスプレイスクリーン１００の製造品質が効果的に向上する。前記光学フィルム２０は、耐高温ポリエステル材料からなるフィルムであってもよい。前記遮光部２２は遮光効果を有し、光が前記遮光部２２を透過し難くなる。また、前記遮光部２２が耐高温、耐腐食、防水性能を有するため、ディスプレイパネル１０の周縁には、光が漏れ難くなり、液体漏れ防止及び液体侵入防止効果を奏する。具体的には、前記遮光部２２は、第一遮光部２２１と第二遮光部２２２とを備える。前記第一遮光部２２１は、前記非表示領域１１２に積層され、前記非表示領域１１２を対応して覆う。前記第二遮光部２２２は、第一遮光部２２１と一体にされる。前記第二遮光部２２２は、前記側面１２に積層され、前記側面１２を対応して覆う。前記透光部２１は、良い透光性能を有し、前記表示領域１１１からの画像光が前記透光部２１を透光することができる。透光部２１は、第一遮光部２２１と一体にされる。前記透光部２１全体が前記表示領域１１１に設けられ、前記光学フィルム２０の堅固構造が補強されることにより、光学フィルム２０全体が前記ディスプレイパネル１０を被覆するため、前記遮光部２２は、前記ディスプレイパネル１０の周縁に一層堅固になり、前記遮光部２２は、前記ディスプレイパネル１０から離れ難くなる。
【００２１】
さらに、前記ディスプレイパネル１０は、前記表示面１１に対向して設けられる裏面１３を備える。前記裏面１３は、前記非表示領域１１２に対応するエッジ領域１３１を備える。前記遮光部２２は、前記エッジ領域１３１にさらに積層され、前記エッジ領域１３１を対応して覆う。
【００２２】
本実施形態において、前記遮光部２２は、第三遮光部２２３をさらに備える。前記第三遮光部２２３は、第二遮光部２２２と一体にされる。前記第三遮光部２２３は、前記エッジ領域１３１に積層される。それによって、前記遮光部２２は、前記ディスプレイパネル１０の周縁全体を被覆すると共に、前記第一遮光部２２１、第二遮光部２２２及び第三遮光部２２３が一体にされるため、前記遮光部２２の遮光効果を向上させ、防水効果を向上させ、そして、前記ディスプレイスクリーン１００の使用性能を向上させる。
さらに、前記遮光部２２は、インク層が設けられる。
【００２３】
本実施形態において、前記遮光部２２は、ベース層を備え、前記ベース層が前記透光部２１と一体に設置される。前記ベース層における前記ディスプレイパネル１０から離れた表面には、インク層がスクリーン印刷される。具体的には、前記インク層は、予め設定された数の孔を有したマスクを介して前記ベース層にスクリーン印刷される。前記インク層が前記ディスプレイパネル１０の周縁を覆うことにより、光漏れ防止効果を奏し、前記ディスプレイスクリーン１００の表示効果を効果的に向上させる。他の実施形態において、前記遮光部２２内に非透光材料が添加されることにより、前記遮光部２２が遮光効果を奏してもよい。
【００２４】
さらに、前記ディスプレイスクリーン１００は、タッチスクリーンである。前記ディスプレイスクリーン１００は、画像情報の表示を実現することに加え、画像情報を表示しながら、タッチ信号を受信することにより、コマンドの受信を実現するため、マンマシンインタラクションを実現する。
【００２５】
第一実施形態において、図１に示すように、前記ディスプレイパネル１０は、ＯＧＳ（ｏｎｅ−ｇｌａｓｓ−ｓｏｌｕｔｉｏｎ）タッチパネルである。前記ディスプレイパネル１０は、順次積層された保護層１０１、タッチ層１０２、液晶層１０３及びバックライト層１０４を備える。前記表示面は、前記保護層に設けられる。具体的には、前記保護層１０１は、透光ガラスカバープレートであってもよい。前記保護層１０１は、前記ディスプレイパネル１０を保護し、ディスプレイパネル１０の堅固構造を補強する。前記タッチ層１０２は、導電層（図示せず）と絶縁層（図式せず）から構成される。前記タッチ層１０２は、タッチコマンドを受信するためのものである。一方、前記タッチ層１０２が前記保護層１０１と一体にされるため、ディスプレイパネル１０の厚さを低減し、そして、前記光学フィルム２０の材料を低減し、前記ディスプレイスクリーン１００の製造コストを低減する。他方、前記タッチ層１０２全体が前記保護層１０１に貼り付けられるため、前記保護層１０１及び前記タッチ層１０２での画像光の屈折を低減し、そして、前記光学フィルム２０が前記ディスプレイパネル１０からの光に及ぼす影響を低減する。前記液晶層１０３は、パルス信号に基づいて、画像を表示する。前記バックライト層１０４が前記ディスプレイパネル１０のために黒色背景を提供することにより、前記液晶層１０３での表示画像が一層はっきりする。前記遮光部２２が前記ディスプレイパネル１０の周縁を被覆することにより、前記保護層１０１、タッチ層１０２、液晶層１０３及びバックライト層１０４が一層密接に積層され、前記ディスプレイパネル１０の堅固構造が補強されると共に、前記遮光部２２が前記保護層１０１、タッチ層１０２、液晶層１０３及びバックライト層１０４の間の接触インターフェースを遮蔽できるため、前記ディスプレイパネル１０の各層からの光漏れが防止され、前記ディスプレイスクリーン１００の表示効果を効果的に向上させる。
【００２６】
第二実施形態において、図２に示すように、前記ディスプレイパネル１０は、ｏｎ−ｃｅｌｌタッチパネルであり、偏光層１０５をされに備えるという点で、第一実施形態と相違する。前記タッチ層１０２は、前記液晶層１０３に集積されてもよい。具体的には、前記偏光層１０５、タッチ層１０２及び液晶層１０３は、順次積層されると共に、一体にされる。このため、前記ディスプレイパネル１０は、構造が簡単で、製造しやすい。前記保護層１０１には、前記光学フィルム２０が成膜される。
【００２７】
第三実施形態において、図３に示すように、前記ディスプレイパネル１０は、ｉｎ−ｃｅｌｌタッチパネルであり、前記偏光層１０５、液晶層１０３及びタッチ層１０２が順次積層されると共に、一体にされるという点で、第二実施形態と相違する。このため、前記ディスプレイパネル１０の表示効果がよく、前記光学フィルム２０が前記ディスプレイパネル１０の表示効果に及ぼす影響が回避される。
【００２８】
図４に示すように、本発明は、ディスプレイスクリーンアセンブリー２００をさらに提供する。前記ディスプレイスクリーンアセンブリー２００は、前記ディスプレイスクリーン１００を備える。前記ディスプレイスクリーンアセンブリー２００は、サイドフレーム３０と透光保護板４０とをさらに備える。前記サイドフレーム３０は、前記透光保護板４０の周縁を囲む。前記透光保護板４０は、前記ディスプレイスクリーン１００に積層され、少なくとも前記表示領域１１１を覆う。
【００２９】
本実施形態において、前記サイドフレーム３０は、プラスチック材料から構成される。サイドフレーム３０は、ディスプレイスクリーン１００及び透光保護板４０を載置すると共に、ディスプレイスクリーン１００がタッチディスプレイスクリーンである場合、サイドフレーム３０は弱極性物質であってもよいため、良い絶縁効果を有し、且つ、指紋が誘導する電界を伝送する役割を果たす。サイドフレーム３０は、対向して設けられる外側３１及び内側３２を備え、前記外側３１が前記サイドフレーム３０の外観面としてもよく、前記内側３２が前記透光保護板４０に接合されてもよい。具体的には、前記内側３２には、階段３２１が設けられ、前記透光保護板４０の周縁が前記階段３２１に固定される。他の実施形態において、前記サイドフレーム３０は、金属材料から構成されてもよい。
【００３０】
本実施形態において、透光保護板４０は透光ガラスであり、透光保護板４０の断面がディスプレイスクリーン１００の表示面１１と平行する。透光保護板４０は、矩形板である。透光保護板４０は、対向して設けられる上表面４１及び下表面４２を備える。上表面４１は、ユーザーを向き、透光保護板４０の外観面としており、下表面４２は、ユーザーから離れる。上表面４１及び下表面４２は、すべて表示面１１と平行する。透光保護板４０は、ディスプレイスクリーン１００の透光性を補強し、ディスプレイスクリーンアセンブリー２００の表示効果を補強する。また、透光保護板４０は、透明な硬質板である。透光保護板４０は、サイドフレーム３０と良く接合されるとともに、ディスプレイスクリーン１００を良く保護する役割を果たし、且つ、良い透光効果を奏する。
【００３１】
本実施形態において、前記透光保護板４０は、透光領域４０ａと遮光領域４０ｂとを備える。前記遮光領域４０ｂは、前記透光領域４０ａを取り囲み、前記非表示領域１１２を覆う。前記遮光領域４０ｂは、前記ディスプレイパネル１０の非表示領域１１２を遮蔽し、つまり、前記遮光領域４０ｂは、前記遮光部２２を遮蔽できる。前記透光領域４０ａは、前記表示領域１１１を覆い、前記表示領域１１１からの光が前記透光領域４０ａを透過できることにより、前記ディスプレイスクリーン１００における画像情報が良く見える。具体的には、透光保護板４０は、前記遮光領域４０ｂに対応して、前記下表面４２にインク層４０ｃがスクリーン印刷されることにより、前記インク層４０ｃによって遮蔽効果が奏される。
【００３２】
さらに、前記ディスプレイスクリーン１００と前記透光保護板４０の間に、光学接着層５０が接続される。前記光学接続層５０は前記表示面１１を覆う。
【００３３】
本実施形態において、前記光学接続層５０は、前記光学フィルム２０と前記透光保護板４０の間に接続される。前記光学接続層５０は、前記下表面４２全体を覆ってもよく、前記下表面４２のエッジと前記ディスプレイスクリーン１００のエッジとの間の距離は、０．６ｍｍよりも小さくてもよい。このため、前記ディスプレイスクリーンアセンブリー２００のサイドフレームは一層狭くなってもよい。
【００３４】
本発明は、ディスプレイスクリーンアセンブリー２００を備える端末（図示せず）をさらに提供する。端末は、裏蓋（図示ぜず）と制御アセンブリー（図示せず）とをさらに備える。裏蓋には、収納室（図示せず）が設けられ、収納室の開口端は、裏蓋の外観面に設けられる。ディスプレイスクリーンアセンブリー２００が開口端を封じる。ディスプレイスクリーン１００及び制御アセンブリーが収納室内に収納される。制御アセンブリーは、ディスプレイスクリーン１００を制御するように、ディスプレイスクリーン１００に電気的に接続される。端末は、端末装置であり、携帯電話、ノートパソコン、タブレットコンピュータ、電子リーダー、電子アルバム、ディスプレイスクリーン等であってもよい。
【００３５】
本発明に係るディスプレイスクリーン、ディスプレイスクリーンアセンブリー及び端末は、前記光学フィルムの遮光部が前記ディスプレイパネルの非表示領域を被覆し、前記ディスプレイスクリーンの側面を被覆することにより、ディスプレイスクリーンのエッジからの光が光学フィルムで遮光され、光漏れ防止効果及び防水効果が奏される。
【００３６】
以上は本発明の好適な実施形態であるが、当業者にとって、本発明の要旨を逸脱しない場合若干の改良および修正が可能であり、これらの改良および修正は、特許請求の範囲に属するものとする。
【図１】
0006419329.tif 000002
【図２】
0006419329.tif 000003
【図３】
0006419329.tif 000004
【図４】
0006419329.tif 000005